(57)【要約】【課題】ペットの排泄に基づく臭気対策を、大掛かりな装置を用いることなく実現可能なペット用トイレ空間を備えた建物を提供する。【解決手段】建物１０には、居室１１に隣接してペット用トイレ１２が設けられている。建物１０には、空調装置２３による全館空調システムが導入されている。空調装置２３は、通気ダクト２６を通じて、居室１１とペット用トイレ１２との境界部分の床部２０に設けられた吹出グリル２７と接続されている。ペット用トイレ１２には、ペットの存在を検知するための赤外線センサ２１が設けられている。ペットが赤外線センサ２１により検知されると、吹出グリル２７に設けられた吹出ルーバ２８のフィンの角度が開方向とされ、吹出グリル２７から空調装置２３からの空調空気が吹き出される。これにより、居室１１とペット用トイレ１２との境界部分にエアカーテンＡＣが形成されて、居室１１とペット用トイレ１２とを遮断する。【選択図】      図２
2019195316.tif 000002
【特許請求の範囲】
【請求項１】
屋内空間の一部に、居住空間と当該居住空間につながるペット用トイレ空間とが形成された建物であって、
空調空気を生成する空調機、前記空調機から供給される空調空気が流通する第１給気通路、及び前記第１給気通路を介して空調空気が前記屋内空間に吹出す第１吹出部を備え、前記建物の全館空調を行う全館空調装置と、
前記空調機から供給される空調空気が流通する第２給気通路、及び前記第２給気通路を介して空調空気が前記居住空間と前記ペット用トイレ空間との境界部分に吹出す第２吹出部を備え、前記第２吹出部から吹出す空気流によって前記境界部分にエアカーテンを形成するエアカーテン装置と、
前記ペット用トイレ空間にペットが存在していることを検知する検知部と、
前記第２給気通路に設けられ、前記第２給気通路から前記２吹出部への空気の流通を阻止する第１位置と、前記第２給気通路から前記２吹出部への空気の流通を可能とする第２位置とに変位可能な変位部と、
前記検知部により前記ペットが前記ペット用トイレ空間に存在することが検知された場合、前記変位部を前記第１位置から前記第２位置に変位させるように制御する制御部と、
を備えることを特徴とするペット用トイレ空間を備えた建物。
【請求項２】
前記第１給気通路及び前記第２給気通路は床下に配置されており、
前記第２吹出部は、前記床に設けられ、かつ上方に向けて空気を吹出すように開口している、請求項１に記載のペット用トイレ空間を備えた建物。
【請求項３】
前記エアカーテン装置は、前記第２吹出部の上方において前記第２吹出部と対向する位置に、エアカーテンを形成している空気を吸込む吸込部を備え、
前記ペット用トイレ空間の上部には、前記ペット用トイレ空間を換気する換気装置が設けられている、請求項２に記載のペット用トイレ空間を備えた建物。
【請求項４】
前記居住空間の天井面よりも前記ペット用トイレ空間の天井面が低く形成され、
前記第２吹出部は、前記ペット用トイレ空間の天井面と床面との間でエアカーテンを形成する位置に設けられている、請求項１〜３のいずれか１項に記載のペット用トイレ空間を備えた建物。
【請求項５】
前記制御部は、前記検知部の検知結果が前記ペット用トイレ空間にペットが存在しない結果である場合、その後、所定時間が経過したことを条件として、前記変位部を前記第２位置から前記第１位置に変位させる、請求項１〜４のいずれか１項に記載のペット用トイレ空間を備えた建物。
【発明の詳細な説明】
【技術分野】
【０００１】
本発明は、ペット用トイレ空間を備えた建物に関する。
【背景技術】
【０００２】
犬や猫などのペットを屋内で飼う場合、ペット用トイレや、これを兼ねたケージを屋内に設置する必要がある。ところが、ペットがペット用トイレで排泄した場合、屋内の居住空間に臭気が漂うことにより住人が不快に感じることがある。このような臭気の対策として、例えば、動物を収容するケージにエアカーテン装置を設け、臭気の拡散を抑制するものが提案されている（特許文献１参照）。
【先行技術文献】
【特許文献】
【０００３】
【特許文献１】特開平５−１６８３６２号公報
【発明の概要】
【発明が解決しようとする課題】
【０００４】
しかしながら、上記従来の構成では、ケージに専用のエアカーテン装置を組み込む必要があり、装置が大掛かりなものになってしまう。
【０００５】
本発明は、上記事情に鑑みてなされたものであり、ペットの排泄に基づく臭気対策を、大掛かりな装置を用いることなく実現可能なペット用トイレ空間を備えた建物を提供することを主たる目的とする。
【課題を解決するための手段】
【０００６】
上記目的を達成すべく、第１の発明は、
屋内空間の一部に、居住空間と当該居住空間につながるペット用トイレ空間とが形成された建物であって、
空調空気を生成する空調機、前記空調機から供給される空調空気が流通する第１給気通路、及び前記第１給気通路を介して空調空気が前記屋内空間に吹出す第１吹出部を備え、前記建物の全館空調を行う全館空調装置と、
前記空調機から供給される空調空気が流通する第２給気通路、及び前記第２給気通路を介して空調空気が前記居住空間と前記ペット用トイレ空間との境界部分に吹出す第２吹出部を備え、前記第２吹出部から吹出す空気流によって前記境界部分にエアカーテンを形成するエアカーテン装置と、
前記ペット用トイレ空間にペットが存在していることを検知する検知部と、
前記第２給気通路に設けられ、前記第２給気通路から前記２吹出部への空気の流通を阻止する第１位置と、前記第２給気通路から前記２吹出部への空気の流通を可能とする第２位置とに変位可能な変位部と、
前記検知部により前記ペットが前記ペット用トイレ空間に存在することが検知された場合、前記変位部を前記第１位置から前記第２位置に変位させるように制御する制御部と、
を備えることを特徴とする。
【０００７】
第１の発明によれば、ペットが排泄するためにペット用トイレ空間に進入すると、ペットが検知部に検知されて、居住空間とペット用トイレ空間との境界部分にエアカーテンが形成される。これにより、ペットはエアカーテンを通過することなくペット用トイレ空間に進入することができ、ペットがペット用トイレ空間に進入するのを躊躇する可能性が低くなる。また、ペットがペット用トイレ空間において排泄する時点ではエアカーテンが形成されることから、尿等の排泄による臭気が居住空間に漏れにくくなる。
【０００８】
ここで、建物は全館空調装置により屋内空間を常時空調しており、エアカーテン装置は全館空調装置の空調機から供給される空調空気を、第２給気通路を介して第２吹出部より吹出すようにしている。そして、エアカーテン装置を作動させていない場合には第２給気通路に設けられた変位部を第１位置に維持して空気の吹出しを遮断しておき、エアカーテン装置を作動させる場合には変位部を第１位置から第２位置に変位させるだけでよい。そのため、空気供給源を全館空調装置と共有することができ、専用の空気供給源が不要になるばかりか第１給気通路や第２給気通路も建物の床下や天井裏等に隠すことができるので、見栄えがよく、大掛かりな装置が必要にならない。
【０００９】
第２の発明は、第１の発明において、
前記第１給気通路及び前記第２給気通路は床下に配置されており、
前記第２吹出部は、前記床に設けられ、かつ上方に向けて空気を吹出すように開口していることを特徴とする。
【００１０】
第２の発明では、エアカーテン装置の第２吹出部を床に設置して上方へ開口させてあるので、エアカーテンが床側から形成されていく。ペットは例えば床に置いたトイレシートに向けて排泄するため、臭気が床付近から拡散し始める。したがって、エアカーテンが完全に形成されるまでのタイムラグがあっても、臭気が居住空間に漏れ出てしまう可能性を低下させることができる。また、第２給気通路に加え、全館空調装置の第１給気通路も床下に配置することにより、建物の施工時にまとめて配管を設けることができ、施工コストの低減を図ることができる。
【００１１】
第３の発明は、第２の発明において、
前記エアカーテン装置は、前記第２吹出部の上方において前記第２吹出部と対向する位置に、エアカーテンを形成している空気を吸込む吸込部を備え、
前記ペット用トイレ空間の上部には、前記ペット用トイレ空間を換気する換気装置が設けられていることを特徴とする。
【００１２】
第３の発明によれば、第２吹出部の上方において対向する位置に吸込部を設けたことにより、エアカーテンの気流が居住空間へ向かいにくくなり、臭気が居住空間に漏れにくくなる。また、ペット用トイレ空間の上部に更に換気装置を設けることにより、臭気を排出することができる。なお、エアカーテン装置の作動中に換気装置も作動しているようにすれば、換気装置によりペット用トイレ空間を負圧にすることができ、エアカーテンの上方への気流がペット用トイレ空間側へ引き寄せられるため、エアカーテンの気流が更に居住空間へ向かいにくくなる利点がある。
【００１３】
第４の発明は、第１〜第３の発明のいずれかにおいて、
前記居住空間の天井面よりも前記ペット用トイレ空間の天井面が低く形成され、
前記第２吹出部は、前記ペット用トイレ空間の天井面と床面との間でエアカーテンを形成する位置に設けられていることを特徴とする。
【００１４】
第４の発明によれば、ペット用トイレ空間の天井面を低く形成することにより、エアカーテンの必要高さが低くなる。その結果、エアカーテンが早期に形成されやすくなったり、第２吹出部から吹出す空気の気流をそれほど強くしなくてもエアカーテンを形成できたりする利点がある。これにより、全館空調装置の空調機をエアカーテンの空気供給源として兼用し易くなる。しかも、ペット用ケージを単に床面に設置する場合と比べ、ペット用トイレ空間より上方の空間を収納その他の用途に適宜使用することができるようになり、限られた屋内空間の有効活用を図ることができる。
【００１５】
第５の発明は、第１〜第４の発明のいずれかにおいて、
前記制御部は、前記検知部の検知結果が前記ペット用トイレ空間にペットが存在しない結果である場合、その後、所定時間が経過したことを条件として、前記変位部を前記第２位置から前記第１位置に変位させることを特徴とする。
【００１６】
第５の発明によれば、検知部がペットを検知しなくなればペットが既に排泄を終えたことがわかるので、その後、臭気が低減する所定時間の経過後にエアカーテンが停止される。そのため、１の検知部による検知とタイマ等の時間経過のみを利用し、しかも変位部を変位させるだけの制御で済むことから、簡単な制御態様で居住空間の快適性を維持することができる。
【図面の簡単な説明】
【００１７】
【図１】建物の間取りを示す平面外略図。
【図２】図１のＡ−Ａ線断面図。
【図３】図１のＢ−Ｂ線断面図。
【図４】エアカーテン形成処理の手順を示すフローチャート。
【図５】別例の建物の間取りを示す平面外略図。
【発明を実施するための形態】
【００１８】
以下に、本発明を具体化した一実施の形態について図１〜図４を参照しつつ説明する。
【００１９】
図１に示すように、建物１０は、外壁部１４，１５等を有し、それら外壁部１４，１５等によって建物１０の屋内外が区画されている。建物１０の屋内側には、居室１１、ペット用のトイレ空間１２（以下、ペット用トイレ１２）及び機械室１３が設けられている。ペット用トイレ１２は、居室１１の角に隣接して設けられている。居室１１とペット用トイレ１２とは空間的に連続しており、ドアや扉等の仕切りは設けられていない。なお、建物１０には、居室１１、ペット用トイレ１２及び機械室１３（以下、まとめて各部屋１１〜１３と称する）の他、複数の居室、廊下、トイレ、浴室等が設けられているが図示は省略する。
【００２０】
図２に示すように、各部屋１１〜１３の下方には床下空間１６が設けられ、各部屋１１〜１３とは床部２０によって仕切られている。ペット用トイレ１２の天井部１７は、居室１１及び機械室１３の天井部に比べて低く形成され、天井部１７の上には天井裏空間１８が設けられている。天井裏空間１８の上には、収納部１９が設けられており、収納部１９と居室１１との間は引き戸（図示略）が設けられている。居住者は、引き戸を開閉することにより居室１１から収納部１９へ物を収納することができる。
【００２１】
ペット用トイレ１２の天井部１７には、赤外線センサ２１が設けられている。赤外線センサ２１は、ペット用トイレ１２に存在するペットを検知するものである。ペット用トイレ１２には、ペット用のトイレシート２２が床上に設置されている。機械室１３には、空調装置２３が設けられている。機械室１３は、常時通気が可能となっている。
【００２２】
建物１０には、空調装置２３を有して構成される全館空調システムが導入されている。本全館空調システムでは、建物１０内に設けられた各部屋１１〜１３その他の空間部に対して、共通の空調装置２３より空調空気を供給することで、それら各空間部の冷暖房を行うこととしている。また、本実施形態では、全館空調システムを利用してエアカーテンＡＣを形成する。以下、この空調システムの構成について、図２に基づき説明する。
【００２３】
空調装置２３は、少なくとも冷房及び暖房機能を有する室内機として構成されている。空調装置２３は、機械室１３の空気を還気ＲＡとして取り込んで温度調整を行うことにより、居室１１等に供給する空調空気を生成する。空調装置２３には、複数の通気ダクト２４が接続されている。図２では、通気ダクト２４のひとつは床下空間１６において居室１１に向かって延びており、居室１１の床部２０に設けられた給気グリル２５と接続されている。
【００２４】
この場合、空調装置２３から給気グリル２５に通気ダクト２４を通じて空調空気が供給されると、給気グリル２５より空調空気が居室１１に給気ＳＡとして吹き出される。これにより、空調装置２３の暖房運転時には居室１１に空調空気として暖気が供給され、その暖気によって居室１１が暖められる。一方、空調装置２３の冷房運転時には、居室１１に冷気が供給され、その冷気によって居室１１が冷やされる。
【００２５】
空調装置２３には、通気ダクト２６が接続されている。通気ダクト２６は床下空間１６において居室１１とペット用トイレ１２との境界部分に向かって延びており、当該境界部分の床部２０に設けられた吹出グリル２７と接続されている。図３に示されるように、吹出グリル２７は、居室１１とペット用トイレ１２との境界部分に沿って延びている。
【００２６】
吹出グリル２７には、複数のフィンを有する吹出ルーバ２８が設けられている。吹出ルーバ２８においては、フィンに沿って空気が吹き出され、フィンの角度は調整可能となっている。フィンの角度は、空気が天井に向けて鉛直上方に吹き出される角度（以下、開方向の角度）、吹出グリル２７から空気が吹き出されないように吹出グリル２７を閉鎖する角度（閉じている場合は空気の供給が遮断される；以下、閉方向の角度）のいずれかとされる。
【００２７】
吹出ルーバ２８には、ＤＣモータ等のアクチュエータ２８ａが備えられている。吹出ルーバ２８のフィンは、アクチュエータ２８ａによって開方向又は閉方向の角度に切り換えられる。
【００２８】
ここで、図２及び図３に示されるように、吹出ルーバ２８のフィンの角度が開方向とされて吹出グリル２７から空気が吹き出されると、居室１１とペット用トイレ１２との境界部分に空気が吹き出されて、居室１１とペット用トイレ１２とを遮断するエアカーテンＡＣが形成される。
【００２９】
本実施形態においては、エアカーテンＡＣを形成するシステムの一部として、空気を排出する排気システムが設けられている。以下、排気システムの構成について、図２に基づき説明する。
【００３０】
天井部１７には、吹出グリル２７に対向する位置（換言すれば、天井部１７における居室１１とペット用トイレ１２との境界部分）において、吸込グリル２９が設けられている。図３に示されるように、吸込グリル２９は、居室１１とペット用トイレ１２との境界部分に沿って延びている。吸込グリル２９には、複数のフィンを有する吸込ルーバ３１が設けられている。吸込ルーバ３１においては、フィンに沿って空気が吸引され、フィンの角度は調整可能となっている。フィンの角度は、床に向けて鉛直下方から空気を吸い込む角度（以下、開方向の角度）、吸込グリル２９が空気を吸い込まないように吸込グリル２９を閉鎖する角度（閉じている場合は空気の吸い込みが遮断される；以下、閉方向の角度）のいずれかとされる。
【００３１】
吸込ルーバ３１には、ＤＣモータ等のアクチュエータ３１ａが備えられている。吸込ルーバ３１のフィンは、アクチュエータ３１ａによって開方向又は閉方向の角度に切り換えられる。
【００３２】
吸込グリル２９には、排気ダクト３２が接続されている。排気ダクト３２は天井裏空間１８において屋外側に向かって延びており、外壁部１５に設けられた排気口３３と接続されている。排気ダクト３２の内部において、吸込グリル２９付近には、排気ファン３４が設けられている。排気ファン３４を回転させることにより、吹出ルーバ２８から吹き出す空気が吸込グリル２９から空気が吸引され、居室１１とペット用トイレ１２とを区画するエアカーテンＡＣを確実に形成することができる。吸込グリル２９により吸い込まれた空気は、排気ダクト３２を通じて排気口３３から屋外に排出される。
【００３３】
ペット用トイレ１２の壁の上部（例えば、外壁部１５に面した室内壁の上部）には、換気扇３５が設けられている。換気扇３５は、外壁部１５に設けられた排気口３６と接続されている。換気扇３５のファンを回転させることにより空気が吸引され、ペット用トイレ１２が換気される。吸引された空気は排気口３６から屋外に排出される。
【００３４】
次に、本システムの電気的構成について、図２に基づいて説明する。
【００３５】
建物１０には、本実施形態の全館空調システムを制御するコントローラ４０が備えられている。コントローラ４０は、例えば、居室１１の壁に取り付けられている。コントローラ４０は、ＣＰＵ、ＲＯＭ、ＲＡＭ等からなる周知のマイクロコンピュータを備えて構成されている。コントローラ４０は、空調装置２３の制御を行う制御部４１と、空調装置２３に関する情報、各種センサ類からの検出結果等を記憶する記憶部４２と、時間を計測する場合に用いられるタイマ４３と、を有している。
【００３６】
制御部４１は、居住者により予め設定された設定温度となるよう各空間の温度を制御したり、居室１１とペット用トイレ１２との境界部分におけるエアカーテンＡＣの形成を制御したりする。記憶部４２には、空調装置２３の設定温度、赤外線センサ２１によりペットが検知された時刻等が随時記録される。
【００３７】
コントローラ４０には、赤外線センサ２１が接続されており、赤外線センサ２１による検出信号はコントローラ４０に出力される。
【００３８】
コントローラ４０には、各アクチュエータ２８ａ，３１ａが接続されている。各アクチュエータ２８ａ，３１ａは、コントローラ４０によって制御され、吹出ルーバ２８、吸込ルーバ３１の開閉を行う。
【００３９】
コントローラ４０には、排気ファン３４、換気扇３５が接続されている。排気ファン３４、換気扇３５は、コントローラ４０によってファンの回転のオンオフを制御される。
【００４０】
次に、コントローラ４０によって実行されるエアカーテン形成の処理について、図４のフローチャートを参照しつつ説明する。なお、建物１０では空調装置２３による全館空調が常時行われており、図４のフローチャートは、その全館空調が行われていることが前提である。
【００４１】
図４において、ステップＳ１１では、赤外線センサ２１によりペットが検知されたか否かを判定する。検知された場合、ＹＥＳ判定してステップＳ１２へ進む。検知されていない場合、ＮＯ判定して本処理を終了する。
【００４２】
ステップＳ１２では、吹出ルーバ２８及び吸込ルーバ３１を開け（フィンを開方向の角度とする）、更に排気ファン３４及び換気扇３５を作動させる。
【００４３】
吹出ルーバ２８が開けられることにより、吹出グリル２７から空気が吹き出され、エアカーテンＡＣが形成される。そして、吸込ルーバ３１が開けられて排気ファン３４が作動することから、吹出グリル２７から吹き出された空気（エアカーテンＡＣ）が、吸込グリル２９に吸引されやすくなる。これにより、エアカーテンＡＣによる居室１１とペット用トイレ１２との間の遮断効果がより向上する。また、換気扇３５により、ペット用トイレ１２で生じた臭気を屋外へ排出できるだけでなく、ペット用トイレ１２が負圧となるため、エアカーテンＡＣの上方への気流がペット用トイレ１２側へと引き寄せられる。これにより、エアカーテンＡＣを形成する気流が居室１１側へ流れにくくなり、ペット用トイレ１２で生じた臭気が居室１１へ拡散するのをより抑制できる。
【００４４】
その後、ステップＳ１３では、赤外線センサ２１による検知がオフとなったか否かを判定する。ここでは、ペット用トイレ１２からペットが立ち去ったか否かを判定している。オフとなった場合、ステップＳ１４へ進む。オフでない場合、ステップＳ１３へ戻り、検知がオフとなるまでステップＳ１３の処理を繰り返す。
【００４５】
次に、ステップＳ１４では、タイマ４３による計時を開始する。ステップＳ１５では、所定時間が経過したか否かを判定する。ここで、所定時間とは、例えば、５〜１０分であり、ペット用トイレ１２からペットが立ち去ってからの経過時間である。所定時間が経過した場合、ＹＥＳ判定してステップＳ１６へ進む。所定時間が経過していない場合、ステップＳ１５へ戻り、所定時間が経過するまで処理を繰り返す。
【００４６】
ステップＳ１６では、吹出ルーバ２８及び吸込ルーバ３１を閉じ（フィンを閉方向の角度とする）、更に排気ファン３４及び換気扇３５の作動を停止させる。吹出ルーバ２８が閉じられることにより、吹出グリル２７から空気が吹き出されず、エアカーテンＡＣは形成されなくなる。その後、本処理を終了する。
【００４７】
ここで、ペット用のトイレシート２２は吸水性及び防臭性に優れており、いったん吸収されると臭気の発生が抑制され、臭気が拡散しにくい。そのため、ペット用トイレ１２が居室１１に隣接している場合の問題としては、ペットの尿等の排泄物が吸収されるまでの間に生じる臭気が居室１１まで拡散することであり、このような状況は衛生上好ましくない。
【００４８】
ステップＳ１５及びＳ１６では、ペットがペット用トイレ１２から立ち去った後（赤外線センサ２１による検知がオフとなった後）、所定時間が経過してからエアカーテンＡＣを停止させている。これにより、ペットの尿等の排泄物がペット用のトイレシート２２に吸収されてからエアカーテンＡＣが停止される。すなわち、ペットの尿等の排泄物が吸収されるまでの間、エアカーテンＡＣが形成される。よって、臭気の生じる期間、エアカーテンＡＣが形成されることにより居室１１へ臭気が拡散するのが抑制できる。
【００４９】
以上、詳述した本実施形態の構成によれば、以下の優れた効果が得られる。
【００５０】
本実施形態によれば、ペットが排泄するためにペット用トイレ１２に進入すると、ペットが赤外線センサ２１に検知されて、居室１１とペット用トイレ１２との境界部分にエアカーテンＡＣが形成される。これにより、ペットはエアカーテンＡＣを通過することなくペット用トイレ１２に進入することができ、ペットがペット用トイレ１２に進入するのを躊躇する可能性が低くなる。また、ペットがペット用トイレ１２において排泄する時点ではエアカーテンＡＣが形成されることから、尿等の排泄物による臭気が居室１１等の居住空間に漏れにくくなる。
【００５１】
本実施形態において、建物１０は空調装置２３により屋内空間を常時全館空調しており、エアカーテンＡＣは全館空調のための空調装置２３から供給される空調空気を、通気ダクト２６を介して吹出グリル２７より吹出すようにしている。そして、エアカーテンＡＣを形成しない場合には、吹出グリル２７に設けられた吹出ルーバ２８のフィンを閉方向の角度に維持して空気の吹出しを遮断しておき、エアカーテンＡＣを形成する場合には吹出ルーバ２８のフィンを閉方向の角度から開方向の角度に変位させるだけでよい。そのため、空気供給源を全館空調システムの空調装置２３と共有することができ、専用の空気供給源が不要になり、大掛かりな装置が必要にならない。
【００５２】
本実施形態では、エアカーテンＡＣを形成する吹出グリル２７を床部２０に設置して上方へ開口させてあるので、エアカーテンＡＣが床側から形成される。ペットは床に置いたトイレシート２２に向けて排泄するため、臭気は床付近から拡散し始める。したがって、エアカーテンＡＣが完全に形成されるまでのタイムラグがあっても、臭気が居室１１に漏れ出てしまう可能性を低下させることができる。また、通気ダクト２６に加え、全館空調システムの空調装置２３の通気ダクト２４も床下空間１６に配置することにより、建物１０の施工時にまとめて配管を設けることができ、施工コストの低減を図ることができる。通気ダクト２４，２６が床下空間１６に配置されることで、生活空間（居室）においては配管が見えなくなるため、見栄えがよいことも利点である。
【００５３】
本実施形態によれば、吹出グリル２７の上方において対向する位置に吸込グリル２９を設けたことにより、エアカーテンＡＣの気流が居室１１へ向かいにくくなり、臭気が居室１１に漏れにくくなる。また、ペット用トイレ１２の壁の上部に更に換気扇３５を設けることにより、臭気を排出することができる。しかも、エアカーテンＡＣの形成されている間に換気扇３５も作動していることから、換気扇３５によりペット用トイレ１２を負圧にすることができ、エアカーテンＡＣの上方への気流がペット用トイレ１２側へ引き寄せられるため、エアカーテンＡＣの気流が更に居室１１へ向かいにくくなる利点がある。
【００５４】
本実施形態によれば、ペット用トイレ１２の天井部１７を低く形成することにより、エアカーテンＡＣの必要高さが低くなる。その結果、エアカーテンＡＣが早期に形成されやすくなったり、吹出グリル２７から吹出す空気の気流をそれほど強くしなくてもエアカーテンＡＣを形成できたりする利点がある。これにより、全館空調システムの空調装置２３をエアカーテンＡＣの空気供給源として兼用し易くなる。しかも、ペット用ケージを単に床部２０に設置する場合と比べ、ペット用トイレ１２より上方の空間をパイプスペース用の天井裏空間１８や収納部１９として使用することができるようになり、限られた屋内空間の有効活用を図ることができる。
【００５５】
本実施形態によれば、赤外線センサ２１がペットを検知しなくなればペットが既に排泄を終えたことがわかるので、その後、臭気が低減する所定時間の経過後にエアカーテンＡＣが停止される。そのため、赤外線センサ２１による検知とタイマ４３の時間経過のみを利用し、しかも吹出ルーバ２８のフィンの角度を変位させるだけの制御で済むことから、簡単な制御態様で居住空間の快適性を維持することができる。
【００５６】
本発明は上記実施形態に限らず、例えば次のように実施されてもよい。
【００５７】
（１）上記実施形態では、吸込グリル２９、吸込ルーバ３１、排気ダクト３２、排気ファン３４、換気扇３５等の排気システムが設けられている。これらの排気システムが設けられることにより、居室１１とペット用トイレ１２との間でのエアカーテンＡＣによる遮断の効率が上がり、臭気の拡散がより抑制できるが、これらは必須の構成ではない。
【００５８】
（２）上記実施形態では、居室１１の角に隣接してペット用トイレ１２が設けられているが、ペット用トイレ１２の設置位置はこれに制限されない。例えば、図５（ａ）〜（ｃ）の平面間取り図に示される形態としてもよい。
【００５９】
図５（ａ）では、居室１１の角の空間にペット用トイレ１２を設置している。この場合、図５（ａ）に示すように、吹出グリル２７は、ペット用トイレ１２が四角形状となるように、Ｌ字状に床に配置される。これにより、吹出グリル２７から空調空気が吹き出されると、ペット用トイレ１２がエアカーテンＡＣにより居室１１と遮断できる。
【００６０】
図５（ｂ）では、居室１１の角にペット用トイレ１２を設け、吹出グリル２７は、ペット用トイレ１２が三角形状となるように、隣接する外壁部１４，１５同士をつなげるように床に配置される。
【００６１】
図５（ｃ）では、居室１１に隣接する空間としてペット用トイレ１２を設けている。図５（ｃ）の場合、図１の間取りとは異なり、ペット用トイレ１２は、居室１１の角に隣接しておらず、居室１１の端の中央部に隣接している。吹出グリル２７は、居室１１とペット用トイレ１２との境界部分に床に配置される。
【００６２】
図５（ａ）〜（ｃ）のいずれの形態においても、吸込グリル２９を設置する場合は、吹出グリル２７に対向する位置にそれぞれ設けるとよい。図５（ａ）、（ｂ）の形態においては、上記実施形態と同様に、ペット用トイレ１２は外壁部１４，１５と面している室内壁を有しているため、換気扇３５は当該室内壁のいずれかに設ければよい。
【００６３】
図５（ｃ）の形態においては、ペット用トイレ１２は外壁部１４，１５と面している室内壁がない。この場合、換気扇３５をペット用トイレ１２のいずれかの壁に設け、換気扇３５により吸引された空気を排気するための排気ダストを壁内部に設置する。そして、当該排気ダストを、吸込グリル２９から外壁部１４，１５に設けられた排気口３３へと通じる排気ダクト３２に接続すればよい。または、換気扇３５をペット用トイレ１２の天井部１７（ペット用のトイレシート２２の上方）に設け、換気扇３５により吸引された空気を排気するための排気ダストを天井裏空間１８に設置する。そして、当該排気ダクトを、同様にして吸込グリル２９から外壁部１４，１５に設けられた排気口３３へと通じる排気ダクト３２に接続してもよい。
【００６４】
これにより、換気扇３５の排気のために屋外側まで通じる排気ダクトを新たに設置する必要がない。すなわち、吸込グリル２９と換気扇３５とから延びる排気ダクトを集約して一つの排気ダクトとし、一つの排気口（例えば、排気口３３）から排出することができ、施工コストの低減を図ることができる。
【００６５】
（３）上記実施形態では、ペット用トイレ１２の上方（天井裏空間１８の上方）の空間を収納部１９としたが、例えば、当該空間をスキップフロアとして利用してもよい。これにより、ペット用トイレ１２を確保しつつ、そのペット用トイレ１２の上方の空間が居住者にとっての生活空間（居室）として利用でき、スペースの有効利用ができる。
【００６６】
（４）上記実施形態では、ペット用トイレ１２において赤外線センサ２１によりペットが検知されなくなった後、所定時間経過後に、エアカーテンＡＣを停止し、吸込グリル２９及び換気扇３５による排気も同時に停止しているが、排気を停止するタイミングはこれに制限されない。例えば、換気扇３５は、エアカーテンＡＣ停止後もしばらく作動させて、さらに所定時間が経過した後に停止させてもよい。
【００６７】
（５）上記実施形態では、ペット用トイレ１２に存在するペットを検知するために赤外線センサ２１を用いたが、ペット用トイレ１２にペットが存在することを検知できる機器であれば、これに限定されない。例えば、赤外線以外の光電センサ（例えば、可視光センサ）、重量センサ、超音波センサ、カメラ（画像判別）等によりペットの存在を検知してもよい。
【符号の説明】
【００６８】
１０…建物、１１…居室、１２…ペット用トイレ空間、２１…検知部としての赤外線センサ、２３…空調機、全館空調装置、エアカーテン装置を構成する空調装置、２４…第１給気通路としての通気ダクト、２５…第１吹出部としての給気グリル、２６…第２給気通路としての通気ダクト、２７…第２吹出部としての吹出グリル、２８…変位部としての吹出ルーバ、２９…吸込部としての吸込グリル、３２…排気ダクト、３４…排気ファン、３５…換気装置としての換気扇、４０…コントローラ、４１…制御部、ＡＣ…エアカーテン。
【図１】
2019195316.tif 000003
【図２】
2019195316.tif 000004
【図３】
2019195316.tif 000005
【図４】
2019195316.tif 000006
【図５】
2019195316.tif 000007